(57)【要約】      （修正有）【課題】静かで安定した振動が得られるとともに、電池の寿命を延長させるバイブレーターを提供する。【解決手段】バイブレーターは、第一ハウジング部と第二ハウジング部とを組み合わせてなるハウジングと発泡体で被覆するモーターと電池とフィルムスイッチとを含み、それぞれのハウジング部内にそれぞれ対応する複数の制限部を形成し、該制限部には所定の幅の切り欠き溝を形成してモーターと電池を位置決めし、且つ該電池の底面に発泡体を挿入し、該第一ハウジング部の半円弧状を呈する面には、所定のピッチで二つの挿入溝を形成し、両端が延伸して接触部を形成するフィルムスイッチを該挿入溝に挿入し、該第二ハウジング部の半円弧状を呈する面には絶縁チップを設ける溝部を形成し、且つ該第二ハウジング部には第一ハウジング部の凸柱、挿入座に対応する位置にそれぞれ挿入座と凸柱を形成する。【選択図】図１
0003112923.tif 000002
【実用新案登録請求の範囲】
【請求項１】
第一ハウジング部と第二ハウジング部とを組み合わせてなるハウジングと、モーターと、電池と、を含んでなるバイブレーターであって、
それぞれのハウジング部内にそれぞれ対応する複数の制限部を形成し、該制限部には所定の幅の切り欠き溝を形成して発泡体で被覆した該モータと電池を位置決めし、且つ該電池の底面に発泡体を挿入し、
該第一ハウジング部の半円弧状を呈する面には、所定のピッチで二つの挿入溝を形成し、両端が延伸して接触部を形成するフィルムスイッチを該挿入溝に挿入し、
該第二ハウジング部の半円弧状を呈する面には、絶縁チップを設ける溝部を形成し、且つ該第二ハウジング部には第一ハウジング部の凸柱、挿入座に対応する位置にそれぞれ挿入座と凸柱を形成して、該第一ハウジング部と該第二ハウジング部とを組立てることを特徴とするバイブレーター。
【考案の詳細な説明】
【技術分野】
【０００１】
この考案はバイブレーターに関し、特にいわゆる大人の玩具と称するカテゴリーの商品に用いるバイブレーターの構造の改良に関する。
【背景技術】
【０００２】
大人の玩具などの商品の開発は、外観が消費者の注意を引くこと以外に、部材間の連結が確実で堅牢あることをデザインの要件としている。目下市販されている大人の玩具で所定の動作を行うものは、所望の効果を達成するために部材の間に補助的なバイブレーションの動力源を備えている。該動力源は、メーカーによって異なる形態で設けられ、使用上補助的、且つ動的な効果を付与することによって、使用者を興奮させる機能を有する。
【０００３】
本考案者は２００４年１２月２０日付けをもって日本国に実用新案登録出願をした。出願番号は２００４−７５０３であって、考案の名称は「バイブレーター」である。その特徴は、第一ハウジングと第二ハウジングとを組み合わせて構成するハウジングと、開閉器と、電池と、モーターとを含んでなり、該ハウジングは、略中間の位置に切り欠き溝を形成したリブの上面に凹状の支持領域を形成して、該開閉器を設け、且つ該ハウジング内に複数の制限部を形成し、該制限部には幅の広い切り欠き溝を複数形成し、それぞれの制限部の間に第一空間と、第二空間と、第三空間を形成して該電池とモーターとを収納するとともに、該第二空間には挿入溝を形成した当止板を形成して弾性部材を設けて一方の該ハウジングの当止板と位置決め部に位置決めし、且つ該第一ハウジングと第二ハウジングに凸柱と該凸柱が挿入される挿入座を形成して、該第一ハウジングと第二ハウジングとを組立てることにある。
【実用新案参考文献】
【０００４】
実用新案登録出願第２００４−７５０３号明細書
【考案の開示】
【考案が解決しようとする課題】
【０００５】
この考案は上述の実用新案に対して改良を加えたものであって、バイブレーターの静かで安定した振動が得られ、且つ電源の切換を確実に行うことができ、電力の消耗を防ぎ、使用時間を延長させることのできるバイブレーターを提供することを課題とする。
【課題を解決するための手段】
【０００６】
そこで本考案者は従来の技術に見られる欠点に鑑み鋭意研究を重ねた結果、第一ハウジング部と第二ハウジング部とを組み合わせてなるハウジングと、モーターと、電池と、フィルムスイッチによって構成し、それぞれのハウジング部内にそれぞれ対応する複数の制限部を形成し、該制限部には所定の幅の切り欠き溝を形成して発泡体で被覆した該モータと電池を位置決めし、且つ該電池の底面に発泡体を挿入し、該第一ハウジング部の半円弧状を呈する面には、所定のピッチで二つの挿入溝を形成し、両端が延伸して接触部を形成するフィルムスイッチを該挿入溝に挿入し、該第二ハウジング部の半円弧状を呈する面には、絶縁チップを設ける溝部を形成し、且つ該第二ハウジング部には第一ハウジング部の凸柱、挿入座に対応する位置にそれぞれ挿入座と凸柱を形成して、該第一ハウジング部と該第二ハウジング部とを組立ててなるバイブレーターによって課題を解決できる点に着眼し、係る知見に基づいて本考案を完成させた。
【０００７】
以下、この考案について具体的に説明する。
【０００８】
請求項１に記載するバイブレーターは、第一ハウジング部と第二ハウジング部とを組み合わせてなるハウジングと、モーターと、電池と、を含んでなるバイブレーターであって、それぞれのハウジング部内にそれぞれ対応する複数の制限部を形成し、該制限部には所定の幅の切り欠き溝を形成して発泡体で被覆した該モータと電池を位置決めし、且つ該電池の底面に発泡体を挿入し、該第一ハウジング部の半円弧状を呈する面には、所定のピッチで二つの挿入溝を形成し、両端が延伸して接触部を形成するフィルムスイッチを該挿入溝に挿入し、該第二ハウジング部の半円弧状を呈する面には、絶縁チップを設ける溝部を形成し、且つ該第二ハウジング部には第一ハウジング部の凸柱、挿入座に対応する位置にそれぞれ挿入座と凸柱を形成して、該第一ハウジング部と該第二ハウジング部とを組立てる。
【考案の効果】
【０００９】
本考案のバイブレーターは、静かで安定した振動が得られるとともに、電池の使用寿命を延長させることができるという利点がある。
【考案を実施するための最良の形態】
【００１０】
この考案はいわゆる大人の玩具と称されるカテゴリーの商品に用いるバイブレーターの構造の改良を提供するものであって、第一ハウジング部と第二ハウジング部とを組み合わせて構成するハウジングと、発泡体で被覆したモーターと、電池と、フィルムスイッチとを含んで構成される。
【００１１】
係るバイブレーターについて、その構造と特徴を詳述するために具体的な実施例を挙げ、以下に説明する。
【実施例】
【００１２】
この考案によるバイブレーターは、図１に開示するように第一ハウジング部１と第二ハウジング部１’とを組み合わせてなるハウジング内にモーター２と、電池３及びフィルムスイッチ４、発泡体２１、３１、絶縁チップ５、を組み合わせて構成するバイブレーター６を設けてなる。
【００１３】
第一ハウジング部１は、内部に複数の制限部１１を形成し、該制限部１１には所定の幅の切り欠き溝１１１を形成する。第一ハウジング部１のそれぞれの隅には凸柱１２と、挿入座１３を形成する。また、第一ハウジング部１の半円弧状を呈する面には、所定のピッチで二つの挿入溝１４を形成し、フィルムスイッチ４を挿入する。第一ハウジング部１の底端は、延伸して支持部１５を形成する。
【００１４】
第二ハウジング部１’には、第一ハウジング部１に対応して切り欠き溝１１１を備える複数の制限部１１を形成する。また、第二ハウジング部１’には第一ハウジング部１の凸柱１２、挿入座１３に対応する位置にそれぞれ挿入座１６と凸柱１７を形成する。また、第二ハウジング部１’の半円弧状を呈する面には、絶縁チップを設ける溝部１８を形成する。
【００１５】
フィルムスイッチ４はプリント回路を内設してなり、第一ハウジング部１の挿入溝１４の位置からそれぞれ延伸して接触部４１を形成する。
【００１６】
図２に開示するように、以上の部材を組立てる場合、フィルムスイッチ４の両接触部４１を第一ハウジング部１の両挿入溝１４内に挿入し、更に発泡体２１で被覆したモーター２と、二つの電池３をそれぞれ第一ハウジング部１の所定の位置に設け、フィルムスイッチ４の一方の接触部４１をモーター２に接触させ、他の接触部４１を電池３の底面に接触させる。更に、制限部１１と切り欠き溝１１１によってモーター２と両方の電池３を位置決めする。
【００１７】
また、第一ハウジング部１底端の支持部１５と、位置決めした電池３の底面との間に発泡体３１を挿入する。また、第二ハウジング部１’の内部に形成した挿入座１６と、凸柱を対応する第一ハウジング部１内に形成した凸柱１２と挿入座１３に嵌挿し、最後に絶縁チップ５を第二ハウジング部１’の外側から溝穴１８から挿設して両方の電池３の間を隔離して電源の消耗と流出を防ぐ。以上をもってバイブレーター６の組立てが完成する。組立てを完成したバイブレーター６は静止状態にある。
【００１８】
図３に開示するようにバイブレーター６を振動させる場合、絶縁チップ５を外方向に抜き出し、両方の電池３を接触させ、更にフィルムスイッチ４を押圧して、プリント回路によって電源をＯＮとし、両方の電池３、モーター２との間に導電回路の形態を形成し、モーター２を起動して振動を発生させる。係る形式は電源を有効に節約し、使用時間を延長させることができる。モーター２は、外側を発泡体２１で被覆し、電池３の底面にも発泡体３１を挿入する。このためバイブレーター６が作動して振動が発生する場合、静かで安定した振動が得られる。
【００１９】
バイブレーター６に柔軟な特性を有するコンドームを組み合わせて用いる場合、女性の下半身でバイブレーター６のフィルムスイッチ４を加圧して振動を発生させることができる。該バイブレーターは女性の陰核の位置を振動、摩擦させることによって女性が容易にオルガスムスに達することができる。また、コンドームをバイブレーター６にかぶせ、男性の性器の根部に当接させることによって男性の生殖器が勃起した状態を維持する時間を延長させ、射精を遅延させ、男性の性機能障害を改善する効果が得られる。
【００２０】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれも本考案の実用新案登録請求の範囲に属するものとする。
【図面の簡単な説明】
【００２１】
【図１】この考案によるバイブレーターの分解図である。
【図２】この考案によるバイブレーターの断面図である。
【図３】この考案によるバイブレーターを使用する場合の動作を示した説明図である。
【００２２】
１                  第一ハウジング部
１’                  第二ハウジング部
１１                  制限部
１１１                切り欠き溝
１２                  凸柱
１３                  挿入座
１４                  挿入溝
１５                  支持部
１６                  挿入座
１７                  凸柱
１８                  溝部
２                    モーター
２１                  発泡体
３                    電池
３１                  発泡体
４                    フィルムスイッチ
４１                  接触部
５                    絶縁体
６                    バイブレーター
【図１】
0003112923.tif 000003
【図２】
0003112923.tif 000004
【図３】
0003112923.tif 000005